(57)【特許請求の範囲】
【請求項１】
画像データを記憶する画像記憶手段と、
ユーザの端末から画像データの取得要求を受けた際に、そのユーザの端末を特定する端末識別手段と、
前記画像データの取得要求を受けて、前記画像記憶手段に記憶されている画像データを検索し、要求された画像データを前記端末に送信する画像送信手段と、
前記送信される画像データに管理情報を付加する管理情報付加手段と、
前記画像データを要求した端末と要求された画像データと前記管理情報とを関連付けて記憶する管理情報記憶手段と、
を備え、
前記管理情報付加手段は、送信される画像データごとに管理情報を付加するとともに、前記画像データを要求した端末が、前記要求した画像データと同一の画像データを過去に送信された端末であれば、前記管理情報記憶手段に記憶された管理情報を参照して、前記過去に送信された画像データに付加された管理情報と同一の管理情報を、要求された画像データに付加し、
前記画像送信手段は、同一の管理情報を付加された画像データを前記端末に送信することを特徴とする画像処理装置。
【請求項２】
画像データを記憶する画像記憶手段と、
ユーザの端末から画像データの取得要求を受けた際に、そのユーザの端末を特定する端末識別手段と、
前記画像データの取得要求を受けて、前記画像記憶手段に記憶されている画像データを検索し、要求された画像データを前記端末に送信する画像送信手段と、
前記送信される画像データに管理情報を付加する管理情報付加手段と、
前記画像データを要求した端末と要求された画像データと前記管理情報とを関連付けて記憶する管理情報記憶手段と、
を備え、
前記ユーザの端末から取得要求された画像データは、前記画像送信手段によりユーザの端末に送信され表示された一覧画像から選択されたものであり、
前記管理情報付加手段は、前記一覧画像の表示回数カウント値と同一の番号を前記管理情報として前記送信画像データに付加することを特徴とする画像処理装置。
【請求項３】
画像データを記憶する画像記憶手段と、
ユーザの端末から画像データの取得要求を受けた際に、そのユーザの端末を特定する端末識別手段と、
前記画像データの取得要求を受けて、前記画像記憶手段に記憶されている画像データを検索し、要求された画像データを前記端末に送信する画像送信手段と、
前記送信される画像データに管理情報を付加する管理情報付加手段と、
前記画像データを要求した端末と要求された画像データと前記管理情報とを関連付けて記憶する管理情報記憶手段と、
を備え、
前記管理情報付加手段は、前記端末からの画像要求のアクセス時に端末から提供される画像要求のアクセス履歴情報に従って、過去の要求時に付加された管理情報と同一の管理情報を、前記送信画像データに付加することを特徴とする画像処理装置。
【請求項４】
前記画像要求のアクセス履歴情報から、過去の取得画像データに対して端末で行われた画像操作の情報を取得して、前記管理情報記憶手段の記憶内容に追記する反映手段を備えている請求項３に記載の画像処理装置。
【発明の詳細な説明】
【０００１】
【発明の属する技術分野】
この発明は、ネットワーク環境下で使用される画像処理装置に関する。
【０００２】
【従来の技術】
ＩＴ環境の整備が進むに伴って、端末を持ったユーザがネットワークを介してサーバから画像データをダウンロードして利用することが多くなっている。
【０００３】
画像データは、電子データとしてネットワークを介して速やかに手間なく配付できる利点があるが、複製も容易なことから、機密データ等の不用意に配付されるべきでない画像を公開した場合には、ダウンロード後の情報管理を的確に行う必要がある。
【０００４】
そこで、画像データを配付する際に、サーバ側の画像処理装置において、オリジナル画像に連続番号等からなる管理情報を付加した状態で端末に画像データを送信し、送信した画像データがどの端末に配付されているのかを把握できる工夫もなされている。例えば特開平７−７４８７６号公報には、送信画像と受信画像で別々の管理番号を付与して、部門別、発信人別に管理できるようにした画像処理装置が開示されている。
【０００５】
【発明が解決しようとする課題】
しかし、従来の画像処理装置では、端末への画像データの送信のたびに、新規な管理情報を生成して送信画像データに付加しているため、同一ユーザが同一の画像データについて何度もアクセスした場合であっても、新規な管理情報が付加される結果、ダウンロードの繰り返しにより管理情報が増え続き、送信画像データと送信した端末とを特定する管理が煩雑になるという問題があった。
【０００６】
この発明は、上記実情に鑑みてなされたもので、管理情報を無用に増やすことなく、送信画像データおよび画像配信先を迅速、かつ的確に把握できる画像処理装置を提供することを課題としている。
【０００７】
【課題を解決するための手段】
上記課題は、画像データを記憶する画像記憶手段と、ユーザの端末から画像データの取得要求を受けた際に、そのユーザの端末を特定する端末識別手段と、前記画像データの取得要求を受けて、前記画像記憶手段に記憶されている画像データを検索し、要求された画像データを前記端末に送信する画像送信手段と、前記送信される画像データに管理情報を付加する管理情報付加手段と、前記画像データを要求した端末と要求された画像データと前記管理情報とを関連付けて記憶する管理情報記憶手段と、を備え、前記管理情報付加手段は、送信される画像データごとに管理情報を付加するとともに、前記画像データを要求した端末が、前記要求した画像データと同一の画像データを過去に送信された端末であれば、前記管理情報記憶手段に記憶された管理情報を参照して、前記過去に送信された画像データに付加された管理情報と同一の管理情報を、要求された画像データに付加し、前記画像送信手段は、同一の管理情報を付加された画像データを前記端末に送信することを特徴とする画像処理装置によって解決される。
【０００８】
この画像処理装置では、ユーザ端末から画像データの取得要求を受けると、端末識別手段によりユーザの端末が特定され、その画像データが画像記憶手段から検索して読み出されるとともに、画像送信手段により当該端末に送信される。
【０００９】
この画像送信にあたって、管理情報付加手段により管理情報が前記送信画像データに付加される。また、前記画像データを要求した端末と画像データと前記管理情報とが関連付けられて管理情報記憶手段に記憶される。
【００１０】
つまり、画像データを要求した端末と画像データと前記管理情報とが関連付けられて記憶されることによって、画像取得要求ユーザ、例えばネットワーク上の公開画像の閲覧ユーザが違う時だけ管理情報を変えるようにすることができ、これにより、管理情報から送信画像および送信先の端末を容易に特定できる。
【００１２】
しかも、前記画像データを要求した端末が、前記要求した画像データと同一の画像データを過去に送信された端末であれば、過去のものと同一の管理情報が送信画像データに付加されるので、異なるユーザの画像要求が増えた場合でも、管理情報の増加が抑制され、前記送信画像および送信先の端末を容易に特定可能となる。
【００１３】
さらに上記課題は、画像データを記憶する画像記憶手段と、ユーザの端末から画像データの取得要求を受けた際に、そのユーザの端末を特定する端末識別手段と、前記画像データの取得要求を受けて、前記画像記憶手段に記憶されている画像データを検索し、要求された画像データを前記端末に送信する画像送信手段と、前記送信される画像データに管理情報を付加する管理情報付加手段と、前記画像データを要求した端末と要求された画像データと前記管理情報とを関連付けて記憶する管理情報記憶手段と、を備え、前記ユーザの端末から取得要求された画像データは、前記画像送信手段によりユーザの端末に送信され表示された一覧画像から選択されたものであり、前記管理情報付加手段は、前記一覧画像の表示回数カウント値と同一の番号を前記管理情報として前記送信画像データに付加することを特徴とする画像処理装置によっても解決される。
【００１４】
この画像処理装置では、ユーザの端末から取得要求された画像データは、画像送信手段によりユーザの端末に送信され表示された一覧画像から選択されたものであり、前記一覧画像の表示回数カウント値と同一の番号が管理情報として採用され、送信画像に付加されるから、管理情報の作成、管理が容易になる。
【００１５】
また、上記課題は、画像データを記憶する画像記憶手段と、ユーザの端末から画像データの取得要求を受けた際に、そのユーザの端末を特定する端末識別手段と、前記画像データの取得要求を受けて、前記画像記憶手段に記憶されている画像データを検索し、要求された画像データを前記端末に送信する画像送信手段と、前記送信される画像データに管理情報を付加する管理情報付加手段と、前記画像データを要求した端末と要求された画像データと前記管理情報とを関連付けて記憶する管理情報記憶手段と、を備え、前記管理情報付加手段は、前記端末からの画像要求のアクセス時に端末から提供される画像要求のアクセス履歴情報に従って、過去の要求時に付加された管理情報と同一の管理情報を、前記送信画像データに付加することを特徴とする画像処理装置によっても解決される。
【００１６】
この画像処理装置では、端末で記憶されているアクセス履歴情報に従って付加された過去の管理情報に基づいて画像送信先の管理が行える。
【００１７】
また、上記画像処理装置において、画像要求のアクセス履歴情報から、過去の取得画像データに対して端末で行われた画像操作の情報を取得して、前記管理情報記憶手段の記憶内容に追記する反映手段を備えている構成としても良い。
【００１８】
この画像処理装置では、端末での複製・転送・加工等の画像操作情報を管理情報に関連付けて記憶内容に追記するので、端末での複製等の操作情報を把握しやすくなる。
【００１９】
【発明の実施の形態】
以下、この発明の一実施形態を図面に基づいて説明する。
【００２０】
図１は、この発明の一実施形態に係る画像処理装置を用いた画像配信システムの構成を示すブロック図である。
【００２１】
図１において、この画像配信システムは、複数のユーザ側の端末１と、各端末１に通信手段であるネットワーク３を介して接続されている画像処理装置としてのサーバ２とを備えている。なお、この実施形態では、説明を簡易にするため、一つの端末１のみを示している。
【００２２】
前記端末１は、ユーザ所有のコンピュータ等であり、画像を要求するための要求生成部１１、送受信部１２、画像表示部１３、クッキー（Ｃｏｏｋｉｅ）情報管理部１４および画像操作部１５等を有している。
【００２３】
前記要求生成部１１は、画像のダウンロード要求を行うための画像一覧を要求する信号を生成したり、後述するアクセス履歴情報をサーバ２に受け渡す機能を有している。
【００２４】
前記送受信部１２は、要求生成部１１で生成された画像要求信号やアクセス履歴情報等をサーバ２に送信したり、サーバ２側からネットワーク３を介してダウンロードされた画像データ等を受信するものである。
【００２５】
前記画像表示部１３は、ＣＲＴやＬＣＤ等のディスプレイ装置であり、受信した画像データや一覧画像を表示したり、あるいは、ユーザによる画像データの操作情報等の表示が可能である。
【００２６】
前記クッキー情報管理部１４は、前記サーバ２にアクセスした履歴を記憶するアクセス履歴情報記憶部１４ａを有し、このアクセス履歴情報を含むクッキー情報を送受信部１２を介して前記サーバ２に送出する機能を有している。また、前記サーバ２を介して得られた画像をユーザが複製したり、加工した際には、その画像操作情報を前記アクセス履歴情報に付加して前記サーバ２に送出する。
【００２７】
なお、クッキー情報とは、周知のように、ユーザ端末１において、サーバ２への次回からのアクセス時にユーザ名等を省略してもサーバ１側で識別できるようにするための情報である。
【００２８】
前記画像操作部１５は、ダウンロードした画像について、複製、転送もしくは加工等の画像操作を行うものであり、その画像操作情報を記憶する操作情報記憶部１５ａを有している。
【００２９】
前記サーバ２は、画像記憶部２１、管理情報付加手段としての画像合成部２２、および端末１との間でデータや信号の送受信を行う送受信部２３等から構成されている。
【００３０】
前記画像記憶部２１は、画像データを記憶するほか、ユーザ個人識別情報換言すれば端末１の識別情報（ユーザＩＤあるいは端末ＩＤともいう）や、管理情報としての連続番号を記憶する記憶手段としても機能し、ユーザＩＤの管理データベース（ユーザＩＤ管理ＤＢという）２１ａと、連続番号の管理データベース（連番管理ＤＢという）２１ｂとを備えている。
【００３１】
前記ユーザＩＤ管理ＤＢ２１ａは、ユーザＩＤが格納されており、また、連番管理ＤＢ２１ｂは、画像データを要求したユーザ端末１と、この端末に送信された画像データと、画像データに付加された連続番号とを関連付けて記憶している。連続番号は、送信する毎にカウントアップする連続した数字であるが、符号や記号も含む概念とする。
【００３２】
前記画像合成部２２は、一覧画像生成部２２ａおよび連番画像合成部２２ｂを有している。
【００３３】
前記一覧画像生成部２２ａは、ユーザからの画像一覧要求であるサムネイル画像の要求を受けた際に、画像一覧の生成を行う。
【００３４】
前記連番画像合成部２２ｂは、画像一覧であるサムネイル画像を見たユーザ端末１からの画像要求を受けて、当該画像データをユーザに送信する際に、連番管理ＤＢ２１ｂに格納された連続番号を読み出して前記画像データに合成付加するものである。
【００３５】
前記送受信部２３は、要求処理部２３ａ、端末識別部２３ｂ、クッキー情報取得／生成部２３ｃおよび画像送信部２３ｄ等から構成されている。
【００３６】
前記要求処理部２３ａは、ユーザからの一覧画像の要求ないしは画像のダウンロード要求を判断して、必要な画像の検索等を行う他、端末１からのアクセス履歴情報であるクッキー情報を受けて、このアクセス履歴情報を前記連続管理ＤＢ２１ｂの記憶内容に反映させたりする機能を有している。
【００３７】
前記端末識別部２３ｂは、ユーザからの画像要求を受けた際に、ユーザＩＤ管理ＤＢ２１ａからのデータに基づいて当該ユーザ端末１を特定する役割を果たす。
【００３８】
前記クッキー情報取得／生成部２３ｃは、端末１に対するクッキー情報の有無を問い合わせてクッキー情報内の連続番号を取得したり、端末コードや画像加工等の画像操作情報の取得を行う他、端末１からのクッキー情報に連続番号が登録されていない場合には、前記連番管理ＤＢ２１ｂから読み出した新規な連続番号を前記クッキー情報に付加したりする機能等をもっている。
【００３９】
前記画像送信部２３ｄは、ユーザが要求した画像に連続番号を付加して得られた合成画像をユーザ端末１に送信したり、新規な連続番号値が付加された前記クッキー情報を端末１に送信したりするものである。
【００４０】
次に、図１に示した構成の画像処理システムの動作を図２〜９図のフローチャートに基づいて説明する。なお、以下の説明ならびに図面では、ステップをＳと略記する。
【００４１】
図２は、ユーザから画像ダウンロードの要求を受けた際のサーバ２側の処理の流れを示すフローチャートである。
【００４２】
図２において、まず、Ｓ１０１では、送受信部２３の要求処理部２３ａがユーザからの要求内容の判断を行う。画像の一覧要求、すなわちサムネイル画像の要求であるか否かを判断し、サムネイル画像の要求であれば（Ｓ１０１の判定がＹＥＳ）、Ｓ１０２では、画像一覧要求処理を行う。サムネイル画像の要求でなければ（Ｓ１０１の判定がＮＯ）、そのまま終了する。
【００４３】
ついで、Ｓ１０３では、特定画像のダウンロード要求であるか否かを判断し、特定画像のダウンロード要求であれば（Ｓ１０３の判定がＹＥＳ）、Ｓ１０４では、画像データのダウンロード処理を行って終了する。特定画像のダウンロード要求でなければ、そのまま終了する。
【００４４】
図３は、前記画像一覧要求処理（Ｓ１０２）のサブルーチンを示すフローチャートである。
【００４５】
図３において、まず、Ｓ２０１では、端末識別部２３ｂが画像要求を行った端末１の識別処理を行い、ついで、Ｓ２０２では、画像記憶部２１に記憶されている表示回数カウント値をインクリンメントする。この表示回数カウント値は、Ｗｅｂページのアクセスカウンタ値に対応するものであり、システム立ち上げ時に初期化され、これを保持し続けるデータである。
【００４６】
この後、Ｓ２０３では、画像合成部２２の一覧画像生成部２２ａが、端末１で要求された一覧対象画像データを取得し、Ｓ２０４で、前記表示回数カウント値を付加した画像一覧であるサムネイル画像を生成する。
【００４７】
ついでＳ２０５で、生成したサムネイル画像を画像送信部２３ｄによりユーザに送信し、Ｓ２０６で、この時に取得している端末１の情報と、端末１に送信され画像表示部１３に表示されたサムネイル画像と、この時点の表示回数カウント値とを関連付けて前記連番管理ＤＢ２１ｂに格納して終了する。
【００４８】
図４は、図３の前記端末識別処理（Ｓ２０１）のサブルーチンを示すフローチャートである。
【００４９】
図４において、Ｓ３０１では、送信要求した端末１を識別する。ＴＣＰ／ＩＰネットワークであれば、ＩＰアドレス等の情報から識別する。
【００５０】
ついで、Ｓ３０２では、その端末１がユーザＩＤ管理ＤＢ２１ａに登録されているか否かを判断する。その端末１がユーザＩＤ管理ＤＢ２１ａに登録されていれば（Ｓ３０２の判定がＹＥＳ）、Ｓ３０３では、その一致する登録ＩＤを取得してリターン、つまり要求元の処理ルーチンに渡す。
【００５１】
前記端末１がユーザＩＤ管理ＤＢ２１ａに登録されていなければ（Ｓ３０２の判定がＮＯ）、Ｓ３０４で、端末１の情報をユーザＩＤ管理ＤＢ２１ａに登録し、Ｓ３０５では、新規登録で取得したＩＤを要求元の処理ルーチンに渡す。
【００５２】
次に、前記端末１が画像のダウンロードを要求した時に端末１毎に固定の連続番号値を設定する動作について、図２の画像ダウンロード処理（Ｓ１０４）のサブルーチンである図５のフローチャートを参照して説明する。
【００５３】
図５において、端末１から画像データの送信要求があると、Ｓ２０１では、前述した図４の端末識別処理により、端末１のＩＤを取得する。この後、Ｓ５０１では、要求処理部２３ａが、端末ＩＤと要求画像データとを前記連番管理ＤＢ２１ｂの登録情報から検索し、その端末１に過去に同一画像データの送信を行ったか否かを判断する。その端末１に過去に同一画像データの送信を行っていれば（Ｓ５０１の判定がＹＥＳ）、Ｓ５０３では、連番画像合成部２２ｂが、その端末１について過去にその画像データに付加した連続番号値を取得してＳ５０４に進む。
【００５４】
その端末１に過去に同一画像データの送信を行っていなければ（Ｓ５０１の判定がＮＯ）、Ｓ５０６で、連番管理ＤＢ２１ｂから新規の連続番号値を取得したのち、Ｓ５０７で、要求した端末１と送信する画像データと新規に取得した連続番号値とを連番管理ＤＢ２１ｂに記憶・登録してからＳ５０４に進む。
【００５５】
Ｓ５０４では、連番画像合成部２２ｂが、取得した連続番号値を送信される画像データに合成したのち、Ｓ５０５で、合成画像データを画像送信部２３ｄから端末１に送信してリターンする。
【００５６】
このように、画像のダウンロードを要求したユーザである端末１と、送信された画像データと、これに付加された連続番号とを関連付けて記憶しておくことにより、画像データと端末とが容易に特定されるうえ、ダウンロードを要求した端末１に以前に同一画像データを送信していればその時の連続番号を取得し、ユーザが異なる場合に限って連続番号を変更するようにすることで、同一ユーザが繰り返して公開画像を閲覧する場合でも、連続番号がむやみに増えるのが抑制され、画像データの管理が容易に行える。
【００５７】
前記端末１が一覧画像（サムネイル画像）から所定の画像を選択し、選択した画像のダウンロードを要求してきた時、一覧画像の表示回数カウント値を連続番号値として設定する動作について、画像ダウンロード要求処理（Ｓ１０４）の別のサブルーチンである図６のフローチャートを参照して説明する。
【００５８】
図６において、端末１から画像データの送信要求があると、Ｓ２０１では、前述の端末識別処理によって端末１のＩＤを取得する。この後、Ｓ６０２では、端末ＩＤと要求画像データとを連番管理ＤＢ２１ｂの登録情報から検索し、要求端末１に一覧画像を送信した際の表示回数カウント値を取得する。
【００５９】
ついで、Ｓ６０３では、取得した表示回数カウント値を前記画像合成部２２により送信される画像データに合成し、Ｓ６０４では、合成画像データを画像送受信部２３ｄから端末１に送信してリターンする。
【００６０】
このように、連続番号として、前記表示回数カウント値を使うことにより、別途、連続番号を生成する手間が省ける。
【００６１】
次に、端末１を識別可能なＩＤを送信画像データに合成する動作について、画像ダウンロード要求処理（Ｓ１０４）のさらに別のサブルーチンである図７のフローチャートを参照して説明する。
【００６２】
図７において、前記端末１から画像データの送信要求があると、Ｓ２０１では、前記端末識別処理によって端末１のＩＤを取得する。なお、ここでいう端末１のＩＤとは、ＴＣＰ／ＩＰプロトコルのＩＰアドレス等、端末自身が持っている一般性のある番号である。Ｗｉｎｎｄｏｗｓネットワークのコンピュータ名であってもよい。
【００６３】
この後、Ｓ７０２では、取得した端末１のＩＤの番号を画像合成部２２により送信画像データに合成し、Ｓ７０３では、合成画像データを画像送受信部２３ｄから端末１に送信する。ついで、Ｓ７０４では、送信先の端末および画像データ及びＩＤを関連付けて、連番管理ＤＢ２１ｂに記憶してリターンする。
【００６４】
次に、Ｗｅｂブラウジング等で使用されるクッキー情報を使用して連続番号を管理し画像合成する構成について、画像ダウンロード要求処理（Ｓ１０４）のさらにまた別のサブルーチンである図８のフローチャートを参照して説明する。
【００６５】
図８において、前記端末１から画像データのダウンロード要求があると、後述する端末識別処理Ｓ２０１０によって、端末１の端末ＩＤを取得する。Ｓ８０２では、端末１のクッキー情報に連続番号値が登録されているか否かを判断し、端末１のクッキー情報に連続番号値が登録されていれば（Ｓ８０２の判定がＹＥＳ）、Ｓ８０３では、クッキー情報内の連続番号値を取得し、Ｓ８０４に進む。
【００６６】
端末１のクッキー情報に連続番号値が登録されていなかったり、あるいはクッキー情報が存在していなければ（Ｓ８０２の判定がＮＯ）、Ｓ８０６では、前記連番管理ＤＢ２１ｂから新規の連続番号値を取得し、Ｓ８０７では、送信端末１および連続番号値を記憶する。ついで、Ｓ８０８では、クッキー情報に取得した連続番号値を登録して端末１に送信し、Ｓ８０４に進む。
【００６７】
Ｓ８０４では、取得した連続番号値を画像合成部２２により送信画像データに合成し、Ｓ８０５では、画像送信部２３ｄから合成画像データを端末１に送信してリターンする。
【００６８】
前記図８の端末識別処理（Ｓ２０１０）について、サブルーチンである図９のフローチャートを参照して説明する。
【００６９】
図９において、まず、Ｓ４０１では、クッキー情報を端末１に要求することにより、端末１からクッキー情報を取得する。
【００７０】
この後、Ｓ４０２では、端末１に自サーバ２のクッキー情報が存在するか否かを判断し、端末１に自サーバ２のクッキー情報が存在すれば（Ｓ４０２の判定がＹＥＳ）、Ｓ４０３では、取得したクッキー情報から以前に設定した端末ＩＤを取得してＳ４０３に進む。端末１に自サーバ２のクッキー情報が存在しなければ（Ｓ４０２判定がＮＯ）、Ｓ４０６では、新規に端末ＩＤを取得してそのままリターンする。
【００７１】
Ｓ４０４では、クッキー情報から画像操作情報を取得し、Ｓ４０５では、取得した画像操作情報を前記連番管理ＤＢ２１ｂに格納してリータンする。
【００７２】
具体的には、サーバ２からダウンロードした画像について、端末１単体での画像操作を記憶しておく。すなわち、ダウンロードした画像を複製／転送／加工する際、端末１側では、それらの処理を行う画像操作部１５が複製／転送／加工等の操作情報を画像毎にクッキー情報の一部に記憶するようになっている。
【００７３】
サーバ２側では、この情報をユーザへの画像転送発生時に取得し、自らの連番管理情報として連番管理ＤＢ２１ｂに追記して、これにより端末１での操作情報をサーバ２側で把握しやすくなる。
【００７４】
【発明の効果】
請求項１に係る発明によれば、ユーザ端末から画像データの取得要求を受けて、所要の画像データを画像記憶手段から読み出し、管理情報を当該画像データに付加して送信する一方、前記要求した端末と前記画像データと管理情報とを関連付けて記憶する構成であるので、画像データに対して要求ユーザが違う時だけ管理情報を変えるようにすることができ、これによって、管理情報から、ダウンロードされた画像およびダウンロード先の端末を容易に特定でき、ダウンロードされた画像の追跡等を容易に行うことができる。
【００７５】
しかも、前記画像データを要求した端末が、前記要求した画像データと同一の画像データを過去に送信された端末であれば、過去のものと同一の管理情報が送信画像に付加されるので、異なるユーザの画像要求が増えた場合でも、管理情報の増加が抑制され、前記送信画像および送信先の端末を容易に特定可能となる。
【００７６】
請求項２に係る発明によれば、ユーザの端末から取得要求された画像データは、画像送信手段によりユーザの端末に送信され表示された一覧画像から選択されたものであり、前記一覧画像の表示回数カウント値と同一の番号が管理情報として採用され、送信画像データに付加されるから、管理情報の作成、管理が容易になる。
【００７７】
請求項３に係る発明によれば、端末で記憶されているアクセス履歴情報に基づいて画像送信先の管理を行うことができる。
【００７８】
請求項４に係る発明によれば、端末での複製・転送・加工等の画像操作情報を管理情報に関連付けて記憶内容に追記するので、端末での複製等の操作情報の把握が容易となる。
【図面の簡単な説明】
【図１】この発明の一実施形態に係る画像処理装置を用いた画像配信システムを示すブロック図である。
【図２】ユーザから画像ダウンロードの要求を受けた際のサーバ側の処理の流れを示すフローチャートである。
【図３】画像一覧送信処理（Ｓ１０１）のサブルーチンを示すフローチャートである。
【図４】端末識別処理（Ｓ２０１）のサブルーチンを示すフローチャートである。
【図５】画像ダウンロード要求処理（Ｓ１０４）のサブルーチンを示すフローチャートである。
【図６】画像ダウンロード要求処理（Ｓ１０４）の別のサブルーチンを示すフローチャートである。
【図７】画像ダウンロード要求処理（Ｓ１０４）のさらに別のサブルーチンを示すフローチャートである。
【図８】画像ダウンロード要求処理（Ｓ１０４）のさらにまた別のサブルーチンを示すフローチャートである。
【図９】端末識別処理（Ｓ２０１０）の別のサブルーチンを示すフローチャートである。
【符号の説明】
１・・・・・・・・・・・端末
２・・・・・・・・・・・サーバ（画像処理装置）
３・・・・・・・・・・・ネットワーク（通信手段）
１１・・・・・・・・・・要求生成部（操作情報付加手段）
１４・・・・・・・・・・クッキー情報管理部（アクセス履歴情報管理手段）
１４ａ・・・・・・・・・アクセス履歴情報記憶部
１５・・・・・・・・・・画像操作部
１５ａ・・・・・・・・・操作情報記憶部
２１・・・・・・・・・・画像記憶部
２１ｂ・・・・・・・・・連番管理データベース（管理情報記憶部）
２２・・・・・・・・・・画像合成部
２３・・・・・・・・・・送受信部
２３ａ・・・・・・・・・要求処理部（反映手段）
２３ｂ・・・・・・・・・端末識別部
【図１】
0004123812.tif 000002
【図２】
0004123812.tif 000003
【図３】
0004123812.tif 000004
【図４】
0004123812.tif 000005
【図５】
0004123812.tif 000006
【図６】
0004123812.tif 000007
【図７】
0004123812.tif 000008
【図８】
0004123812.tif 000009
【図９】
0004123812.tif 000010